(57)【要約】  【課題】  セルラ通信システムにおいて、効率的にかつ実時間で各エリアにおける呼品質の分布の推定を可能にする。  【解決手段】  基地局を経由して各移動端末の呼詳細情報を収集する。また、複数の基地局に関し、少なくとも基地局の局番および位置情報を含む基地局情報ファイルを作成する。これらの呼詳細情報および基地局情報ファイルから、各移動端末の呼品質、各移動端末近傍の複数の基地局の局番および信号伝搬時間情報を取得する。前記各移動端末近傍の複数の基地局の局番情報および位置情報、並びに前記信号伝搬時間情報に基づき移動端末の位置を求める。このようにして求めた移動端末の位置情報と前記呼詳細情報から求めた呼品質情報とを対応させて出力し、地図上にプロットする。呼品質などのパラメータは必要に応じてフィルタリングして地図上にプロットする。  【選択図】      図５
2005094634.tif 000002
【特許請求の範囲】
【請求項１】
それぞれ複数の移動端末と通信可能な複数の基地局、および該複数の基地局と接続された交換局を備えたセルラ通信システムにおける呼詳細情報を用いたエリア診断方法であって、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手順、
（Ｂ）前記移動端末近傍の複数の基地局に関し、少なくとも基地局の局番および基地局の位置情報を含む基地局情報を収集する手順、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手順、
（Ｄ）前記移動端末の位置情報と呼品質情報とを対応させて出力する手順、
（Ｅ）複数の移動端末に関し、前記手順（Ａ）から（Ｄ）までを行なう手順、
を具備することを特徴とする呼詳細情報を用いたエリア診断方法。
【請求項２】
前記移動端末の位置を求める手順は、前記移動端末近傍の複数の基地局と前記移動端末との信号伝搬遅延時間情報から前記移動端末近傍の複数の基地局と前記移動端末との間の距離差を求め、該距離差を用いて前記移動端末の位置を求めることを特徴とする請求項１に記載の呼詳細情報を用いたエリア診断方法。
【請求項３】
所定の範囲の呼品質を有する移動端末を抽出して地図上にプロットすることを特徴とする請求項１に記載の呼詳細情報を用いたエリア診断方法。
【請求項４】
所定の値より低い呼品質を有する移動端末を抽出して地図上にプロットすることを特徴とする請求項３に記載の呼詳細情報を用いたエリア診断方法。
【請求項５】
前記基地局情報は前記セルラ通信システムに関して予め定められた基地局情報から収集することを特徴とする請求項１に記載の呼詳細情報を用いたエリア診断方法。
【請求項６】
前記基地局情報における基地局の位置は基地局の緯経度で表され、該緯経度は直交座標に変換され、該変換された直交座標および前記基地局と前記移動端末との信号伝搬遅延時間情報から前記基地局と前記移動端末との距離差を求め、該距離差にもとづき前記移動端末の直交座標を求め、該移動端末の直交座標を経緯度に変換して前記移動端末の位置情報を求めることを特徴とする請求項１に記載の呼詳細情報を用いたエリア診断方法。
【請求項７】
前記呼品質情報はフレームエラー率またはビットエラー率であることを特徴とする請求項１に記載の呼詳細情報を用いたエリア診断方法。
【請求項８】
前記セルラ通信システムはＣＤＭＡ通信システムであることを特徴とする請求項１に記載の呼詳細情報を用いたエリア診断方法。
【請求項９】
前記呼品質情報はパワー・メジャメント・リクエスト・メッセージ（ＰＭＲＭ）の送信頻度から求めることを特徴とする請求項８に記載の呼詳細情報を用いたエリア診断方法。
【請求項１０】
前記呼詳細記録は呼終了時に各移動端末から前記基地局に送信されることを特徴とする請求項１に記載の呼詳細情報を用いたエリア診断方法。
【請求項１１】
それぞれ複数の移動端末と通信可能な複数の基地局、および該複数の基地局と接続された交換局を備えたセルラ通信システムにおける呼詳細情報を用いたエリア診断方法をコンピュータに実行させるプログラムであって、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手順、
（Ｂ）前記移動端末近傍の複数の基地局に関し、少なくとも基地局の局番および基地局の位置情報を含む基地局情報を収集する手順、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手順、
（Ｄ）前記移動端末の位置情報と呼品質情報とを対応させて出力する手順、
（Ｅ）複数の移動端末に関し、前記手順（Ａ）から（Ｄ）までを行なう手順、
をコンピュータに実行させることを特徴とするプログラム。
【請求項１２】
前記移動端末の位置を求める手順は、前記移動端末近傍の複数の基地局と前記移動端末との信号伝搬遅延時間情報から前記移動端末近傍の複数の基地局と前記移動端末との間の距離差を求め、該距離差を用いて前記移動端末の位置を求めることを特徴とする請求項１１に記載のプログラム。
【請求項１３】
前記基地局情報における基地局の位置は基地局の緯経度で表され、該緯経度は直交座標に変換され、該変換された直交座標および前記基地局と前記移動端末との信号伝搬遅延時間情報から前記基地局と前記移動端末との距離差を求め、該距離差にもとづき前記移動端末の直交座標を求め、該移動端末の直交座標を経緯度に変換して前記移動端末の位置情報を求めることを特徴とする請求項１１に記載のプログラム。
【請求項１４】
それぞれ複数の移動端末と通信可能な複数の基地局、および該複数の基地局と接続された交換局を備えたセルラ通信システムにおける呼詳細情報を用いたエリア診断装置であって、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手段、
（Ｂ）前記移動端末近傍の複数の基地局に関し、少なくとも基地局の局番および基地局の位置情報を含む基地局情報を収集する手段、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手段、
（Ｄ）前記移動端末の位置情報と呼品質情報とを対応させて出力する手段、
（Ｅ）複数の移動端末に関し、前記手段（Ａ）から（Ｄ）までを機能させて該複数の移動端末に関し位置情報と呼品質情報とを対応させて出力させる手段、
を具備することを特徴とする呼詳細情報を用いたエリア診断装置。
【請求項１５】
前記移動端末の位置を求める手段は、前記移動端末近傍の複数の基地局と前記移動端末との信号伝搬遅延時間情報から前記移動端末近傍の複数の基地局と前記移動端末との間の距離差を求め、該距離差を用いて前記移動端末の位置を求めることを特徴とする請求項１４に記載の呼詳細情報を用いたエリア診断装置。
【請求項１６】
前記基地局情報における基地局の位置は基地局の緯経度で表され、該緯経度は直交座標に変換され、該変換された直交座標および前記基地局と前記移動端末との信号伝搬遅延時間情報から前記基地局と前記移動端末との距離差を求め、該距離差にもとづき前記移動端末の直交座標を求め、該移動端末の直交座標を経緯度に変換して前記移動端末の位置情報を求めることを特徴とする請求項１４に記載の呼詳細情報を用いたエリア診断装置。
【発明の詳細な説明】
【技術分野】
【０００１】
本発明は、呼詳細情報を用いたエリア診断技術に関し、例えばセルラ通信システムにおいて呼詳細情報を用いて通話品質の悪い領域などを実時間で判定可能とする技術に関する。
【背景技術】
【０００２】
セルラ無線通信システムは、それぞれ複数の移動端末と通信可能な基地局をサービスエリア内の各エリア（セル）に配置すると共に、これらの基地局と接続され各基地局を経由して通信される信号の交換などを行なう中央交換局とを備えている。このようなセルラ通信システムにおいては、基地局をどのエリアに配置するかおよび各基地局の送信電力をどのような値に設定するかなどによって各移動端末の通信品質が左右される。
【０００３】
従来、セルラ通信システムのサービスエリアに配置する基地局の数および場所などは予めデフォールトの配置計画に従って基地局を配置し、実際に各基地局を稼動させて種々のエリアにおける呼品質を測定することにより、配置計画を修正していた。この呼品質の測定は、自動車に試験機器を搭載して各エリアを巡回して電界強度、フレームエラーレート（ＦＥＲ）その他を測定し、測定したデータを解析することによって行なっていた。したがって、この測定の結果、ある場所で呼品質が悪いと判断されれば、そのエリアの基地局の電力を増大するか、あるいは新たに基地局を設置するなどの対策が行なわれていた。
【０００４】
しかしながら、自動車などにテスト機器を搭載して各エリアの測定を行なう従来の方法、すなわちドライブテスト、では、各エリアの呼品質などのデータを収集するのに莫大な時間と労力を必要とし、極めて効率が悪いものであった。
【０００５】
また、セルラ通信システム、例えばＣＤＭＡ方式の通信システムでは、通話品質はトラフィック負荷によって大幅に変化し、時間的にもまたエリアに応じても変化する傾向があった。このため、呼品質などのデータはできればセルラ通信システムのサービスエリア全体における値を同時に測定することが好ましいが、これは物理的に不可能であった。
【０００６】
このため、従来は、長い時間をかけてかつ広い領域にわたりテスト機器を搭載した自動車などを走行させてデータを収集する必要があった。ただし、このような長時間をかけてデータを収集しても、各エリアの呼品質などのデータを実時間で知ることはできなかった。さらに、ドライブテストでは建物の中や電車の中での通話品質まで測定することは不可能であった。なお、従来、個々の移動端末の位置を求める方法は提案されていたが、多数の移動端末の位置および呼品質などを集合的に処理して実時間でエリア診断を行なうものは提案されていなかった。
【特許文献１】特開２００１−８３２３１号公報
【特許文献２】特開２００２−２３６１６３号公報
【発明の開示】
【発明が解決しようとする課題】
【０００７】
本発明は、セルラ通信システムにおいて、各エリアにおける呼品質情報などを効率的に、迅速にかつ実時間で収集可能とするものである。
【課題を解決するための手段】
【０００８】
本発明の一態様では、それぞれ複数の移動端末と通信可能な複数の基地局、および該複数の基地局と接続された交換局を備えたセルラ通信システムにおける呼詳細情報を用いたエリア診断方法が提供され、該方法は、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手順、
（Ｂ）前記移動端末近傍の複数の基地局に関し、少なくとも基地局の局番および基地局の位置情報を含む基地局情報を収集する手順、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手順、
（Ｄ）前記移動端末の位置情報と呼品質情報とを対応させて出力する手順、
（Ｅ）複数の移動端末に関し、前記手順（Ａ）から（Ｄ）までを行なう手順、
を具備することを特徴とする。
【０００９】
前記移動端末の位置を求める手順は、前記移動端末近傍の複数の基地局と前記移動端末との信号伝搬遅延時間情報から前記移動端末近傍の複数の基地局と前記移動端末との間の距離差を求め、該距離差を用いて前記移動端末の位置を求めることができる。
【００１０】
前記基地局情報における基地局の位置は基地局の緯経度で表され、該緯経度は直交座標に変換され、該変換された直交座標および前記基地局と前記移動端末との信号伝搬遅延時間情報から前記基地局と前記移動端末との距離差を求め、該距離差にもとづき前記移動端末の直交座標を求め、該移動端末の直交座標を経緯度に変換して前記移動端末の位置情報を求めると好都合である。
【００１１】
本発明の別の態様では、それぞれ複数の移動端末と通信可能な複数の基地局、および該複数の基地局と接続された交換局を備えたセルラ通信システムにおける呼詳細情報を用いたエリア診断方法をコンピュータに実行させるプログラムが提供され、該プログラムは、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手順、
（Ｂ）前記移動端末近傍の複数の基地局に関し、少なくとも基地局の局番および基地局の位置情報を含む基地局情報を収集する手順、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手順、
（Ｄ）前記移動端末の位置情報と呼品質情報とを対応させて出力する手順、
（Ｅ）複数の移動端末に関し、前記手順（Ａ）から（Ｄ）までを行なう手順、
をコンピュータに実行させることを特徴とする。
【００１２】
本発明のさらに別の態様では、それぞれ複数の移動端末と通信可能な複数の基地局、および該複数の基地局と接続された交換局を備えたセルラ通信システムにおける呼詳細情報を用いたエリア診断装置が提供され、該装置は、
（Ａ）前記交換局において複数の基地局を経由して複数の移動端末から収集された呼詳細情報から、ある移動端末の呼品質、該移動端末近傍の複数の基地局の局番情報ならびに該複数の基地局と前記移動端末との信号伝搬遅延時間情報を収集する手段、
（Ｂ）前記移動端末近傍の複数の基地局に関し、少なくとも基地局の局番および基地局の位置情報を含む基地局情報を収集する手段、
（Ｃ）前記移動端末近傍の複数の基地局の局番情報および位置情報、ならびに前記移動端末近傍の複数の基地局と前記移動端末との信号伝搬遅延時間情報にもとづき前記移動端末の位置を求める手段、
（Ｄ）前記移動端末の位置情報と呼品質情報とを対応させて出力する手段、
（Ｅ）複数の移動端末に関し、前記手段（Ａ）から（Ｄ）までを機能させて該複数の移動端末に関し位置情報と呼品質情報とを対応させて出力させる手段、
を具備することを特徴とする。
【発明の効果】
【００１３】
本発明によれば、セルラ通信システムにおける呼品質情報などを広いエリアにわたり効率的に実時間で監視することができ、従来の方法のように呼品質の測定に長時間、多大な人手を必要としない。また、従来の方法に比べ、室内、電車内その他の自動車の走行できない場所でも的確に呼品質などのデータを極めて効率的に収集することが可能になる。さらに、ドライブテストを補助的に行なう場合にも、本発明の技術によって予め呼品質の悪いエリアなどを把握しておくことにより、より効率的なドライブテストを行なうことができる。さらに、本発明によれば、各エリアにおける呼品質などのデータを連続的にかつ実時間で監視することも可能になる。
【発明を実施するための最良の形態】
【００１４】
以下、図面を参照して本発明の好ましい実施形態につき説明する。図１は、本発明の一実施形態に係わる呼詳細情報を用いたエリア診断方法などを実施するためのセルラ通信システムの概略の構成を示す。図１のシステムは、例えばＣＤＭＡ方式の携帯電話通信システムとすることができる。図１のシステムは、基地局（ＢＴＳ）３、移動端末（ＭＴ）５、中央交換局（ＳＣ）７、およびローカルコンピュータ９を備えている。
【００１５】
図１においては、基地局３は１つが示されているのみであるが、実際にはセルラ通信システムのサービス領域を複数のエリアに分割し、各エリア毎に１つの基地局３が設けられている。そして、これら複数の基地局３は所定の通信リンクを介して中央交換局７に接続されている。
【００１６】
各基地局３は複数の移動端末５と通信することができる。すなわち、各移動端末５は基地局３を介して他の移動端末５、あるいは基地局３および中央交換局７を介して図示しない有線加入者電話などと通信することができる。中央交換局７は各移動端末５と他の移動端末などが通信または通話できるようにするため、必要な電話交換動作などを行なう。ローカルコンピュータ９は、本発明の方法を実施するために中央交換局７に接続されたデータ処理装置である。ただし、本発明に係わる方法は中央交換局７内のデータ処理装置で行なうこともできる。
【００１７】
本発明によれば、例えば、中央交換局７に接続されたローカルコンピュータ９において概略的に次のような処理が行なわれる。まず、各移動端末５の、例えば通話終了時に、呼詳細情報が該移動端末５から基地局３に送信され、該基地局３は該呼詳細情報を中央交換局７に送信する。中央交換局７はデータ・ロガー（Ｄａｔａ  Ｌｏｇｇｅｒ）と称されるデータ処理機能部分を備えており、このデータ・ロガーによって各移動端末５から呼終了時に送信される呼詳細情報を蓄積する。
【００１８】
ローカルコンピュータ９は、このようにして中央交換局７に蓄積された呼詳細情報（ＣＤＬ：Ｃａｌｌ  Ｄｅｔａｉｌｅｄ  Ｌｏｇ）から、必要なデータ、例えば各呼の呼品質情報、基地局の局番、および移動端末の位置を推定するのに必要な情報をローカルコンピュータ９のメモリに取り出す、すなわちダウンロードする。また、ローカルコンピュータ９は、セルラ通信システムに関して、予め知られている基地局情報から所定の情報データを含む基地局情報ファイルを作成する。この基地局情報ファイルには、例えば各基地局の局番および位置を示す情報が含まれる。
【００１９】
これらの情報を元に、後に詳細に説明するように、ローカルコンピュータ９に内蔵されたプログラム（ＣＡＤツール：ＣＤＬ  Ａｒｅａ  Ｄｉａｇｎｏｓｉｓ  Ｔｏｏｌ）は、各移動端末の位置を検出し、その位置に対応する移動端末の呼品質情報を対応させて記憶しかつ出力する。移動端末の呼品質情報としては、例えばフレームエラーレート（ＦＥＲ）とされる。このようにして各移動端末の位置と呼品質を示す情報が蓄積され出力される。このような各移動端末の情報を、例えば地図上にプロットする。
【００２０】
例えば、図２に示すように、呼品質が所定値以上の移動端末の場所に○印を付し、呼品質が所定値より悪い移動端末の場所に×印をプロットする。すなわち、多数の移動端末に関し、地図上に各移動端末の位置と呼品質を示す情報をプロットする。
【００２１】
そして、図３に示すように、地図上の×印の付された品質不良エリアを抽出し、品質不良エリアを表示および／または印刷する。なお、図２のような全ての移動端末に関する呼品質をプロットする代わりに、品質不良などの所定の範囲の品質値を有する移動端末のみを抽出して、すなわちフィルタリングして、地図上に表示してもよい。これによって、セルラ通信システムのサービスエリアの内、どのエリアの呼品質が悪いかなどを容易に知ることができる。
【００２２】
図４は、上述の処理において、移動端末（ＭＴ）の位置を推定する方法を示す。同図に示すように、移動端末（ＭＴ）の位置は、該移動端末（ＭＴ）と通信可能な該移動端末近傍の３つ以上の基地局、例えばＡ，ＢおよびＣ、の位置などから推定することができる。移動端末（ＭＴ）は例えば呼の終了時に、前述のような呼詳細情報（ＣＤＬ）を送信する。この呼詳細情報は各基地局Ａ，ＢおよびＣにおいて受信され、それぞれの基地局Ａ，ＢおよびＣから中央交換局に送られる。
【００２３】
呼詳細情報には、例えばＣＤＭＡ方式のセルラ通信システムにおいては、チップ遅延情報が含まれる。このチップ遅延情報は移動端末（ＭＴ）から各基地局に送られる信号の伝搬遅延時間を示す情報である。したがって、この伝搬遅延時間情報から、移動端末（ＭＴ）と基地局との距離差を求めることができる。
【００２４】
そこで、図４に示すように、移動端末（ＭＴ）と基地局Ａとの距離と、移動端末（ＭＴ）と基地局Ｂとの間の距離の差が一定になる点をつなぐと、双曲線ＨＬ１となる。すなわち、双曲線ＨＬ１は移動端末（ＭＴ）と基地局Ａとの距離ｍ１と、移動端末（ＭＴ）と基地局Ｂの距離ｍ２の差が一定になる曲線を表わす。同様にして、移動端末（ＭＴ）と基地局Ａの距離ｎ１と、移動端末（ＭＴ）と基地局Ｃの距離ｎ２の差が一定になる点を結ぶと双曲線ＨＬ２となる。したがって、これらの双曲線ＨＬ１およびＨＬ２の交点から、予め知られた各基地局の位置情報を用いて、移動端末（ＭＴ）の位置を求めることができる。
【００２５】
なお、本発明において各移動端末（ＭＴ）の位置を求める場合、上述のような方法を用いてもよく、あるいは任意の他の適切な方法を用いてもよいことは明らかである。
【００２６】
次に、図５〜図９を参照して本発明に係わる呼詳細情報を用いたエリア診断方法などにつきさらに詳細に説明する。図５は、本発明に係わる呼詳細情報を用いたエリア診断方法の処理手順を示すフローチャートである。まず、図５のステップ５０１において、例えば、中央交換局７（図１）に接続されたローカルコンピュータ９（図１）は、中央交換局７に蓄積された呼詳細情報（ＣＤＬ）から、本方法の実施に使用すべき全部または一部の呼詳細情報をダウンロードする。
【００２７】
一方、ローカルコンピュータ９は、予め知られた基地局情報から、基地局情報ファイルを作成する。この基地局情報ファイルは、例えば、各基地局の局番と位置、例えば緯経度、を対応付けて含むものが生成される。
【００２８】
一方、ステップ５０１で収集された呼詳細情報から、ステップ５０５において、ある移動端末の呼品質、例えばフレームエラーレート（ＦＥＲ）を算出する。この呼品質の算出は、例えば、ＣＤＭＡ方式のセルラ通信システムにおいて、パワー・メジャメント・リクエスト・メッセージ（ＰＭＲＭ）の送信頻度から算出する。すなわち、ＣＤＭＡ方式のセルラ通信システムにおいては、移動端末が基地局からの電波の弱い領域に入るとまたは電波の弱い所に位置すると、基地局に対して送信電力を増大するようＰＭＲＭを送信する。したがって、移動端末が基地局に対しこのＰＭＲＭを送った回数によって信号品質、例えば前述のＦＥＲ、が推定できる。すなわち、ＰＭＲＭ送信頻度に基づく下りリンクのＦＥＲの推定を行なうことができる。
【００２９】
なお呼品質のパラメータとしてはＦＥＲの他に、任意のパラメータを単独であるいは組合せて使用することができる。これらのパラメータとしては、例えば、ビットエラー率（ＢＥＲ）、妨害信号に対するキャリヤ信号のエネルギ値（Ｅｃ／Ｉｏ）、信号対雑音比（ＳＮＲ）、ノイズレベルの上昇分であるノイズライズ値（Ｎｏｉｓｅ  Ｒｉｓｅ）、データ通信速度であるスループット、呼の持続時間、データ量、その他が使用できる。また、呼品質以外のパラメータを用いて、そのパラメータのエリアごとの分布を知ることもできる。
【００３０】
さらに、ステップ５０７において、考慮中の移動端末の位置を推定するため、該移動端末が通信できる３つの基地局を選択する。この３つの基地局は、例えば移動端末が現在通信している、すなわちアクティブな、基地局の他に、該移動端末からの電波が強い順に２つの基地局をさらに選択する。すなわち、移動端末近傍の３つの基地局を選択し、これらの基地局の番号を取得する、例えば、所定のメモリエリアに記憶する。また、考慮中の移動端末からこれら３つの基地局へのＣＤＭＡ信号の伝搬遅延時間情報、すなわち位相遅延（Ｐｈａｓｅ  Ｄｅｌａｙ）情報をも前記ダウンロードした呼の詳細情報から取得する。
【００３１】
ステップ５０９において、上記ステップ５０７において選択された３つの基地局番号に基づき、前記基地局情報ファイルからこれら３つの基地局の緯経度（緯度および経度）情報を取得する。
【００３２】
ステップ５１１において、これらの基地局の緯経度情報が直交座標データに変換される。
【００３３】
ステップ５１３において、前記ステップ５０７において取得された信号伝搬遅延時間情報と、前記ステップ５１１の処理によって得られた各基地局の直交座標から、例えば前に図４を参照して説明したような方法で、考慮中の移動端末の直交座標を推定する。
【００３４】
ステップ５１５において、上記ステップ５１３において求められた移動端末の直交座標を緯経度情報に変換する。
【００３５】
ステップ５１７において、前記ステップ５０５において求められた呼品質の評価が行なわれる。例えば、呼品質が悪いか否かがＦＥＲが１０より大きいか否か判定することによって評価される。
【００３６】
もし、ＦＥＲが１０より大きければ、ステップ５１９において、前記ステップ５１５において求められた考慮中の移動端末の緯経度情報を用いて、地図上に呼品質を示す記号などがプロットされる。この呼品質を示す記号は、例えば前述のような、呼品質が所定の値より悪いか否かに応じてそれぞれ所定の記号をプロットしてもよく、あるいは呼品質が悪い移動端末に関してのみ所定の記号などをプロットしてもよい。
【００３７】
このような処理が、多数の移動端末に関して、前記呼詳細情報から得られたデータを用いて行なわれる。これによって、多数の移動端末に関する位置および品質情報がプロットされた地図を作成することができ、このような地図を参照することによりセルラ通信システムのサービスエリアの内、呼品質が悪い領域などを知ることができ、必要な対策を行なうことができる。
【００３８】
図６は、このような呼詳細情報を用いたエリア診断方法の手順を別の観点から示す処理ブロック図である。また、図７は、このような処理を行なう場合の各情報ファイルの内容および処理結果などを示す説明図である。さらに、図８および図９は、このような処理によって得られた出力結果の詳細を例示する説明図である。
【００３９】
図６のブロック６０１において、中央交換局７（図１）のデータ・ロガーに全てのユーザの呼詳細情報がＣＤＬとして収集される。データ・ロガーは、例えばＵＮＩＸ（登録商標）サーバとして構成される。また、このような呼詳細情報は、各移動端末が呼終了時に基地局に送信してくる各種データを例えば所定時間ごとに基地局から収集したものである。この呼詳細情報には、各移動端末の局番、該移動端末と通信する基地局の局番および位相遅延情報、ＰＭＲＭメッセージの送信回数その他が含まれる。
【００４０】
次に、ブロック６０３において、前記データ・ロガーで収集された呼詳細情報（ＣＤＬ）の内必要なデータをローカルコンピュータ９（図１）にダウンロードする。そして、ダウンロードした情報から、例えば図７のブロック７０１に示すような情報を含むＣＤＬ情報ファイルを作成する。このＣＤＬ情報ファイルは、例えば各移動端末の番号、該移動端末と通信する３つの基地局の局番、これら３つの基地局と移動端末との間の信号伝搬遅延時間（位相遅延）情報、ＰＭＲＭメッセージの送信頻度を示すデータなどが含まれる。
【００４１】
また、図６のブロック６０３に示すように、ローカルコンピュータ９は、予め知られた基地局情報から、基地局（ＢＴＳ）情報ファイルを作成する。この基地局情報ファイルは、例えば、必要な基地局の局番と位置、すなわち緯経度情報、を含む。図７のブロック７０３はこのような基地局情報ファイルの構成例を示す。
【００４２】
次に、図６のブロック６０５に示されるように、本発明に係わる呼詳細情報を用いたエリア診断を行なうためのプログラムの中心部分である、前述のＣＡＤツールをローカルコンピュータ９によって実行する。ＣＡＤとは、ＣＤＬを用いたエリア診断を意味する略語である。このＣＡＤツールは前記ＣＤＬ情報ファイルおよびＢＴＳ情報ファイルを使用して前記図５に示す処理を実行し、各移動端末の位置を算出しかつ呼品質、例えば、ＦＥＲ、を推定する。この処理によって各移動端末の緯経度情報と呼品質情報とが、例えばテキスト形式で出力される。図７のブロック７０５はこのような出力データの一例を示す。
【００４３】
次に、図６のブロック６０７に示されるように、前記ＣＡＤツールによって得られた出力データ、例えば多数の移動端末の緯度、経度および呼品質データ、が地図上にマッピングされる。このマッピングは、適切なプリンタ、マッピング・ツールなどを使用して行なうことができる。図７のブロック７０７はこのようにして得られたマッピング結果の一例を示す。なお、図７の例では、呼品質が所定値より悪い移動端末を×印でマッピングし、呼品質が所定値以上の移動端末を○印でマッピングしている。また、各基地局（ＢＴＳ）も図示されている。
【００４４】
次に、図６のブロック６０９に示されるように、移動端末の内呼品質が悪い移動端末、例えばＦＥＲ＞１０％あるいはＥｃ／Ｉｏ＜−１６ｄＢなどの移動端末、を抽出し、かつこれらの移動端末のみを地図上にプロットする。図７のブロック７０９はこのようなプロットを行なった地図を示す。これによって品質の悪いエリアが容易に検出できる。
【００４５】
すなわち、図７においてブロック７０７で地図上にプロットした全ての移動端末の品質情報などを統計処理して、例えば悪いエリアを抽出し、図７のブロック７０９に示されるように、地図上にプロットすることにより、各エリアにおけるパラメータの良否をより的確に判断することが可能になる。
【００４６】
なお、移動端末のプロットの仕方、およびプロットの基準とするパラメータ、例えば呼品質、については任意の所望のものとすることができる。
【００４７】
なお、図８および図９は、それぞれ、このような各移動端末の呼品質データをプロットした地図の例を示すものである。図８および図９は、それぞれ、前述の図７におけるブロック７０７および７０９をより拡大して示すものである。図８は、呼品質が所定値より悪い移動端末および所定値以上の移動端末をそれぞれ×印および○印で共にプロットした例を示すものである。また、図９は、呼品質が所定値より悪い移動端末のみをプロットしたものである。
【００４８】
このように、本発明によれば、多数の移動端末につき呼品質などのパラメータをプロットすることにより、呼品質などの各エリアにおける分布を知ることができる。したがって、従来のようにドライブテストによらず、迅速かつリアルタイムで各エリアの呼品質などを診断することができる。このような呼品質のプロットは、広いサービスエリアにつき同時にかつ連続的に収集することもでき、呼品質の時間的かつ空間的推移を極めて的確に推定することができる。これによって、セルラ通信システムの、例えば、呼品質の悪いエリアに対してどのような対策をとればよいかが容易に分かり、セルラ通信システムのユーザに対しきめ細かなかつ良好なサービスを提供することができる。
【産業上の利用可能性】
【００４９】
セルラ通信システムの各基地局の配置計画、各基地局の送信電力の設定、その他を、極めて的確に行なうことができる。これによって、セルラ通信システムの運用も的確に行なわれ、ユーザに対してより的確かつきめ細かなサービスを行なうことが可能になる。
【図面の簡単な説明】
【００５０】
【図１】本発明の一実施形態に係わる呼詳細情報を用いたエリア診断方法を実施するためのハードウェアの概略の構成を示すブロック図である。
【図２】図１のシステムによって得られたエリア診断結果の概略を示す説明図である。
【図３】図２のエリア診断結果をフィルタリングして地図上にマッピングした状態を示す概略的説明図である。
【図４】移動端末の位置を推定する１つの方法を示す説明図である。
【図５】本発明の一実施形態に係わる呼詳細情報を用いたエリア診断方法およびプログラムの処理の概略を示すフローチャートである。
【図６】本発明に係わる呼詳細情報を用いたエリア診断方法およびプログラムの処理の概略を別の観点から説明する処理ブロック図である。
【図７】図６の処理において用いられる入力および出力データの一例を示す説明図である。
【図８】本発明に係わる方法およびプログラムによって出力データを地図上にプロットした一例を示す説明図である。
【図９】本発明に係わる方法およびプログラムによって地図上にプロットした出力データの他の例を示す説明図である。
【符号の説明】
【００５１】
３  基地局
５  移動端末
７  中央交換局
９  ローカルコンピュータ
７０１  呼詳細情報ファイル
７０３  基地局情報ファイル
７０５  出力データ
７０７  マッピング結果
７０７  他のマッピング結果
【図１】
2005094634.tif 000003
【図２】
2005094634.tif 000004
【図３】
2005094634.tif 000005
【図４】
2005094634.tif 000006
【図５】
2005094634.tif 000007
【図６】
2005094634.tif 000008
【図７】
2005094634.tif 000009
【図８】
2005094634.tif 000010
【図９】
2005094634.tif 000011